(57)【特許請求の範囲】
【請求項１】
第１の記録媒体に対して情報を記録再生する第１の記録再生手段と、
前記第１の記録媒体よりも記録容量の少ない複数種類の第２の記録媒体に対して選択的に情報を記録再生する第２の記録再生手段と、
前記第１の記録媒体の記録領域上に記録領域を確保する前記第２の記録媒体の種類を入力する第１の入力手段と、
前記第１の記録媒体の記録領域上に記録領域を確保する前記第２の記録媒体の数を入力する第２の入力手段と、
前記第１の入力手段で入力された種類の前記第２の記録媒体の記録容量に対応する記録領域を、前記第２の入力手段で入力された数だけ、前記第１の記録媒体の記録領域上に確保する設定手段と、
前記設定手段により前記第１の記録媒体に確保された記録領域に、前記第１の記録媒体の他の記録領域に記録されている情報を記録するように前記第１の記録再生手段を制御する第１の制御手段と、
前記第１の制御手段により前記第１の記録媒体に確保された記録領域に記録されている情報を、前記第２の記録媒体に記録するように前記第１及び第２の記録再生手段を制御する第２の制御手段とを具備したことを特徴とする情報記録再生装置。
【請求項２】
前記第１の制御手段は、前記設定手段により前記第１の記録媒体に確保された記録領域に、前記第１の記録媒体の他の記録領域に記録されている情報を、レートを変換して記録するように前記第１の記録再生手段を制御することを特徴とする請求項１記載の情報記録再生装置。
【請求項３】
前記第１の制御手段は、前記設定手段によって前記第１の記録媒体に確保された複数の記録領域に、前記第１の記録媒体の他の記録領域に記録されている情報を分割して記録する場合、前記第１の記録媒体に確保された複数の記録領域のうち、最初に情報が記録される記録領域以外の記録領域には、それぞれ前の記録領域に記録された情報の最後部の所定量を記録するための空き容量を残して情報を記録させることを特徴とする請求項１記載の情報記録再生装置。
【請求項４】
第１の記録媒体に対して情報を記録再生する第１の工程と、
前記第１の記録媒体よりも記録容量の少ない複数種類の第２の記録媒体に対して選択的に情報を記録再生する第２の工程と、
前記第１の記録媒体の記録領域上に記録領域を確保する前記第２の記録媒体の種類を入力する第３の工程と、
前記第１の記録媒体の記録領域上に記録領域を確保する前記第２の記録媒体の数を入力する第４の工程と、
前記第３の工程で入力された種類の前記第２の記録媒体の記録容量に対応する記録領域を、前記第４の工程で入力された数だけ、前記第１の記録媒体の記録領域上に確保する第５の工程と、
前記第１の記録媒体に確保された記録領域に、前記第１の記録媒体の他の記録領域に記録されている情報を記録する第６の工程と、
前記第１の記録媒体に確保された記録領域に記録されている情報を、前記第２の記録媒体に記録する第７の工程とを具備したことを特徴とする情報記録再生方法。
【請求項５】
前記第６の工程は、前記第１の記録媒体に確保された記録領域に、前記第１の記録媒体の他の記録領域に記録されている情報を、レートを変換して記録することを特徴とする請求項４記載の情報記録再生方法。
【請求項６】
前記第６の工程は、前記第１の記録媒体に確保された複数の記録領域に、前記第１の記録媒体の他の記録領域に記録されている情報を分割して記録する場合、前記第１の記録媒体に確保された複数の記録領域のうち、最初に情報が記録される記録領域以外の記録領域には、それぞれ前の記録領域に記録された情報の最後部の所定量を記録するための空き容量を残して情報を記録させることを特徴とする請求項４記載の情報記録再生方法。
【発明の詳細な説明】
【０００１】
【発明の属する技術分野】
この発明は、大容量の据置型記録媒体と着脱自在な移動型記録媒体とに、選択的に情報の記録再生を行なう情報記録再生装置及び情報記録再生方法に関する。
【０００２】
【従来の技術】
周知のように、近年においては、大記録容量を有する据置型記録媒体を内蔵するとともに、移動型記録媒体を着脱可能としたテレビジョン放送受信機が開発されている。
【０００３】
一例として、大記録容量を有する据置型記録媒体として、現在では、約８０ＧＢ（Ｇｉｇａ  Ｂｙｔｅｓ）もの記録容量を有するＨＤＤ（Ｈａｒｄ  Ｄｉｓｋ  Ｄｒｉｖｅ）が主流となっている。
【０００４】
また、受信機に対して着脱可能な移動型記録媒体としては、約４．７ＧＢの記録容量を有するＤＶＤ（Ｄｉｇｉｔａｌ  Ｖｅｒｓａｔｉｌｅ  Ｄｉｓｋ）−ＲＡＭ（Ｒａｎｄｏｍ  Ａｃｃｅｓｓ  Ｍｅｍｏｒｙ）が採用されている。
【０００５】
そして、この種のテレビジョン放送受信機では、受信した番組情報や外部入力された情報を、ＨＤＤとＤＶＤ−ＲＡＭとの両方または一方に対して記録再生することが可能である。
【０００６】
また、このテレビジョン放送受信機では、ＨＤＤに記録された情報を再生してＤＶＤ−ＲＡＭに記録したり、ＤＶＤ−ＲＡＭに記録された情報を再生してＨＤＤに記録したりすることもできる。
【０００７】
【発明が解決しようとする課題】
ところで、ＨＤＤとＤＶＤ−ＲＡＭとは、その記録容量が大幅に異なるため、特にＨＤＤに記録された情報をＤＶＤ−ＲＡＭに記録する際に、種々の不都合が発生している。
【０００８】
例えば、ＨＤＤに記録された情報が、１枚のＤＶＤ−ＲＡＭに収まりきるのか否か、また、収まりきらず複数のＤＶＤ−ＲＡＭに分割して記録する場合、何枚のＤＶＤ−ＲＡＭが必要となるか等を、ユーザが認識しずらくなっている。
【０００９】
また、ＨＤＤに記録された情報を複数のＤＶＤ−ＲＡＭに分割記録する場合には、ユーザが、装着したＤＶＤ−ＲＡＭ毎に、その記録容量が満杯になるまで情報を記録するように調整するため、ユーザにとって取り扱いが煩雑になる。
【００１０】
さらに、ＨＤＤに記録された情報の記録レートを変換してＤＶＤ−ＲＡＭに記録する場合、記録するＤＶＤ−ＲＡＭを装着し、その記録容量に応じてユーザが記録レートを手動調整するため、ユーザにとって取り扱いが煩雑になる。
【００１１】
また、実際に記録を行なうＤＶＤ−ＲＡＭを装着しなければ、ＨＤＤに記録された情報を、ＤＶＤ−ＲＡＭにその記録容量が丁度満杯になるように記録レートを自動調整して記録する、いわゆるジャスト記録機能が使用できなくなる。
【００１２】
なお、２種類の記録媒体に対して記録再生を行なう技術に関する公知例としては、特開平１１−７７０５号公報、特開２０００−１７５１３９号公報及び特開平５−２８２７９３号公報等がある。
【００１３】
しかしながら、最初に記載した公開公報は、ビデオＣＤ（Ｃｏｍｐａｃｔ  Ｄｉｓｋ）に記録されたデータを、ビデオＣＤとはセクタサイズの異なるＤＶＤ−ＲＡＭにコピーする技術に関するものである。
【００１４】
また、２番目に記載した公開公報は、着脱可能な光ディスクに記録されたビデオデータファイルの一部を、ＨＤＤにファイルとしてコピーする技術に関するものである。
【００１５】
さらに、最後に記載した公開公報は、大容量光ディスクのトラック及びセクタ番号を、小容量光ディスクのトラック及びセクタ番号に対応させて変換する技術に関するものである。
【００１６】
しかしながら、これらの公開公報には、いずれも、上述したような、ＨＤＤに記録された情報をＤＶＤ−ＲＡＭに記録する際に生じる種々の問題点を解決することについては、何らの記載もなされていないものである。
【００１７】
そこで、この発明は上記事情を考慮してなされたもので、実際に移動型記録媒体を装着しなくても、据置型記録媒体から移動型記録媒体に情報を記録するのと同等な環境を据置型記録媒体上に構築することにより、据置型記録媒体から移動型記録媒体に情報を記録する場合に生じる種々の問題点を容易に解決することを可能とした極めて良好な情報記録再生装置及び情報記録再生方法を提供することを目的とする。
【００１８】
【課題を解決するための手段】
この発明に係る情報記録再生装置は、第１の記録媒体に対して情報を記録再生する第１の記録再生手段と、第１の記録媒体よりも記録容量の少ない複数種類の第２の記録媒体に対して選択的に情報を記録再生する第２の記録再生手段と、第１の記録媒体の記録領域上に記録領域を確保する第２の記録媒体の種類を入力する第１の入力手段と、第１の記録媒体の記録領域上に記録領域を確保する第２の記録媒体の数を入力する第２の入力手段と、第１の入力手段で入力された種類の第２の記録媒体の記録容量に対応する記録領域を、第２の入力手段で入力された数だけ、第１の記録媒体の記録領域上に確保する設定手段と、設定手段により第１の記録媒体に確保された記録領域に、第１の記録媒体の他の記録領域に記録されている情報を記録するように第１の記録再生手段を制御する第１の制御手段と、第１の制御手段により第１の記録媒体に確保された記録領域に記録されている情報を、第２の記録媒体に記録するように第１及び第２の記録再生手段を制御する第２の制御手段とを備えるようにしたものである。
【００１９】
また、この発明に係る情報記録再生方法は、第１の記録媒体に対して情報を記録再生する第１の工程と、第１の記録媒体よりも記録容量の少ない複数種類の第２の記録媒体に対して選択的に情報を記録再生する第２の工程と、第１の記録媒体の記録領域上に記録領域を確保する第２の記録媒体の種類を入力する第３の工程と、第１の記録媒体の記録領域上に記録領域を確保する第２の記録媒体の数を入力する第４の工程と、第３の工程で入力された種類の第２の記録媒体の記録容量に対応する記録領域を、第４の工程で入力された数だけ、第１の記録媒体の記録領域上に確保する第５の工程と、第１の記録媒体に確保された記録領域に、第１の記録媒体の他の記録領域に記録されている情報を記録する第６の工程と、第１の記録媒体に確保された記録領域に記録されている情報を、第２の記録媒体に記録する第７の工程とを備えるようにしたものである。
【００２１】
【発明の実施の形態】
以下、この発明の第１の実施の形態について図面を参照して詳細に説明する。図１は、この第１の実施の形態で説明するテレビジョン放送受信機の概略を示している。
【００２２】
図１において、符号１１はアンテナである。このアンテナ１１で受信されたテレビジョン放送信号は、チューナ部１２に供給されて所定のチャンネルの映像信号が選局された後、信号処理制御部１３に供給される。
【００２３】
この信号処理制御部１３は、操作部１４からの操作情報を受けて、テレビジョン放送受信機の動作を統括的に制御するためのＣＰＵ（Ｃｅｎｔｒａｌ  Ｐｒｏｃｅｓｓｉｎｇ  Ｕｎｉｔ）１５と、映像信号にエンコード処理を施すエンコーダ部１６と、映像信号にデコード処理を施すデコーダ部１７と、ファイル管理部１８と、編集処理部１９とを備えている。
【００２４】
そして、上記チューナ部１２から出力された映像信号は、デコーダ部１７でデコード処理が施され、画像表示に対応したフォーマットに変換された後、表示部２０に供給されて画像表示に供される。
【００２５】
また、上記信号処理制御部１３には、ハードディスク２１ａに対して情報の記録再生を行なうＨＤＤ２１と、ＤＶＤ−ＲＡＭ等の光ディスク２２ａに対して情報の記録再生を行なう光ディスクドライブ部２２とが接続されている。さらに、この信号処理制御部１３には、外部機器として、ＡＶ（Ａｕｄｉｏ  Ｖｉｄｅｏ）記録再生機器２３やデジタルカメラ２４等が接続可能になっている。
【００２６】
そして、この信号処理制御部１３は、上記チューナ部１２から出力された映像信号に、エンコーダ部１６によって所定のエンコード処理を施し、ＨＤＤ２１、光ディスクドライブ部２２及びＡＶ記録再生機器２３に選択的に記録させることができる。
【００２７】
また、この信号処理制御部１３は、ＨＤＤ２１、光ディスクドライブ部２２、ＡＶ記録再生機器２３及びデジタルカメラ２４から出力された映像信号を、選択的に表示部２０に画像表示させることができる。
【００２８】
さらに、信号処理制御部１３は、ＨＤＤ２１、光ディスクドライブ部２２、ＡＶ記録再生機器２３及びデジタルカメラ２４から選択的に出力された映像信号を、ＨＤＤ２１、光ディスクドライブ部２２及びＡＶ記録再生機器２３に選択的に記録させることが可能である。
【００２９】
上記のような構成となされたテレビジョン放送受信機において、以下、その特徴的な動作について説明する。まず、図２に示すフローチャートは、ハードディスク２１ａに記録された情報を光ディスク２２ａに記録する際、光ディスク２２ａが何枚必要になるかをユーザに知らせる動作を示している。
【００３０】
まず、開始（ステップＳ２ａ）されると、信号処理制御部１３は、ステップＳ２ｂで、ハードディスク２１ａに記録されている情報のうち、光ディスク２２ａに記録したい情報のタイトルをユーザに選択させるためのタイトル選択画面を表示部２０に表示させる。
【００３１】
このタイトル選択画面は、図３（ａ）に示すように、ハードディスク２１ａに記録されている情報のタイトルを一覧表示させたものである。そして、この一覧表示されたタイトルの中から、画面上でユーザが所望のタイトルを選択すると、その選択されたタイトルが別途表示される。
【００３２】
その後、信号処理制御部１３は、ステップＳ２ｃで、記録を行なう光ディスク２２ａの種類をユーザに選択させるためのメディア指定画面を表示部２０に表示させる。
【００３３】
このメディア指定画面は、図３（ｂ）に示すように、ＤＶＤ−ＲＡＭ及びＤＶＤ−Ｒ（Ｒｅｃｏｒｄａｂｌｅ）等のような、光ディスク２２ａの種類を一覧表示させたものである。そして、この一覧表示された種類の中から、画面上でユーザが所望の種類を選択する。図３（ｂ）では、ＤＶＤ−ＲＡＭが選択されている状態を示している。
【００３４】
このように、ハードディスク２１ａに記録されている情報のうち、光ディスク２２ａに記録したい情報のタイトルと、その情報を記録する光ディスク２２ａの種類とが設定されると、信号処理制御部１３は、ステップＳ２ｄで、必要となる光ディスク２２ａの枚数を算出して表示部２０に表示させ、処理を終了（ステップＳ２ｅ）する。
【００３５】
この光ディスク２２ａの枚数表示画面は、図３（ｃ）に示すように、ステップＳ２ｂで選択されたタイトルと、ステップＳ２ｃで選択された光ディスク２２ａの種類と、必要となる光ディスク２２ａの枚数とを表示させたものである。
【００３６】
上記した第１の実施の形態によれば、ハードディスク２１ａに記録された情報を光ディスク２２ａに記録する際、必要となる光ディスク２２ａの枚数をユーザに知らせる機能を備えるようにしたので、ユーザにとって取り扱いを便利にすることができる。
【００３７】
次に、この発明の第２の実施の形態について説明する。図４に示すフローチャートは、ハードディスク２１ａの記録領域上に、ユーザが指定した種類の光ディスク２２ａ（複数でもよい）の記録容量に対応する記録領域（仮想メディア）を確保するための登録動作を示している。
【００３８】
まず、開始（ステップＳ４ａ）されると、上記信号処理制御部１３は、ステップＳ４ｂで、ハードディスク２１ａ上に記録領域を確保する光ディスク２２ａの種類を、ユーザに選択させるためのメディア種類指定画面を表示部２０に表示させる。
【００３９】
このメディア種類指定画面は、図５（ａ）に示すように、ＤＶＤ−ＲＡＭ及びＤＶＤ−Ｒ（Ｒｅｃｏｒｄａｂｌｅ）等のような、光ディスク２２ａの種類を一覧表示させたものである。そして、この一覧表示された種類の中から、画面上でユーザが所望の種類を選択する。図５（ａ）では、ＤＶＤ−ＲＡＭが選択されている状態を示している。
【００４０】
その後、信号処理制御部１３は、ステップＳ４ｃで、図５（ｂ）に示すように、ハードディスク２１ａ上に確保される記録領域の名称（仮想メディア名）や、光ディスク２２ａの枚数（作成数）等を示す仮想メディア情報を、ユーザに入力させる画面を表示部２０に表示させる。図５（ｂ）では、仮想メディア名がＡで、その仮想メディアを構成する光ディスク２２ａの数（作成数）が２枚と入力された状態を示している。
【００４１】
そして、信号処理制御部１３は、ステップＳ４ｄで、登録動作が完了したか否かを判別し、完了していないと判断された場合（ＮＯ）には、ステップＳ４ｂの処理に戻される。また、登録動作が完了したと判断された場合（ＹＥＳ）には、信号処理制御部１３は、処理を終了（ステップＳ４ｅ）する。
【００４２】
このような登録の内容は、上記ファイル管理部１８に格納される。このファイル管理部１８は、図６に示すように、管理テーブルを備えている。この管理テーブルには、ＨＤＤ２１、光ディスクドライブ部２２、ＡＶ記録再生機器２３及びデジタルカメラ２４等を管理するための各種の管理情報が格納されている。
【００４３】
上記登録内容は、管理テーブルのＨＤＤ管理情報の中に、仮想メディア管理情報として格納されている。この仮想メディア管理情報は、それぞれが光ディスク２２ａの１枚分に相当しており、仮想メディア名、シーケンス番号、記録容量、記録済みサイズ及びハードディスク２１ａに割り付けられた領域のファイルＩＤ等の情報が含まれている。
【００４４】
この場合、ファイルＩＤが、図７に示すように、ハードディスク２１ａ上に確保される記録領域１，２，３，……の場所（先頭アドレス）とサイズとを示すファイルシステムを構築している。これにより、光ディスク２２ａの１枚分に対応する記録領域を、ハードディスク２１ａ上の複数の空き領域を組み合わせて確保することが可能となる。
【００４５】
次に、図８に示すフローチャートは、ハードディスク２１ａ上に確保された記録領域に、ハードディスク２１ａに記録されている情報を記録する、つまり、ハードディスク２１ａ内で情報を複写する動作を示している。
【００４６】
まず、開始（ステップＳ８ａ）され、ユーザが、ステップＳ８ｂで、仮想メディア名を指定すると、信号処理制御部１３は、ステップＳ８ｃで、ハードディスク２１ａに記録されている情報を再生し、その指定された仮想メディアを構成するハードディスク２１ａ上の記録領域のうち、シーケンス番号の最も若い記録領域に記録する。
【００４７】
そして、信号処理制御部１３は、ステップＳ８ｄで、先に指定された仮想メディアに記録する情報が、まだ残っているか否かを判別し、残っていないと判断された場合（ＮＯ）、処理を終了（ステップＳ８ｈ）する。
【００４８】
また、上記ステップＳ８ｄで記録する情報が残っていると判断された場合（ＹＥＳ）、信号処理制御部１３は、ステップＳ８ｅで、情報量がシーケンス番号の最も若い記録領域の容量を超過したか否かを判別し、超過していないと判断された場合（ＮＯ）、ステップＳ８ｃの処理に戻される。
【００４９】
そして、情報量がシーケンス番号の最も若い記録領域の容量を超過したと判断された場合（ＹＥＳ）、信号処理制御部１３は、ステップＳ８ｆで、ハードディスク２１ａ上に次のシーケンス番号の記録領域が存在するか否かを判別し、存在しないと判断された場合（ＮＯ）、処理を終了（ステップＳ８ｈ）する。
【００５０】
また、ハードディスク２１ａ上に次のシーケンス番号の記録領域が存在すると判断された場合（ＹＥＳ）、信号処理制御部１３は、ステップＳ８ｇで、情報の記録先を次のシーケンス番号の記録領域に切り替え、ステップＳ８ｃの処理に戻される。
【００５１】
次に、図９に示すフローチャートは、上記のようにしてハードディスク２１ａ上の仮想メディアに記録された情報を、実際に光ディスク２２ａに記録する動作を示している。
【００５２】
まず、開始（ステップＳ９ａ）され、ステップＳ９ｂで、光ディスクドライブ部２２に光ディスク２２ａが装着されると、信号処理制御部１３は、ステップＳ９ｃで、ハードディスク２１ａ上の最初のシーケンス番号を有する記録領域から情報を再生し、光ディスクドライブ部２２に装着されている光ディスク２２ａに記録させる。
【００５３】
そして、信号処理制御部１３は、ステップＳ９ｄで、次のシーケンス番号の記録領域に情報が記録されているか否かを判別し、記録されていないと判断された場合（ＮＯ）、処理を終了（ステップＳ９ｅ）し、記録されていると判断された場合（ＹＥＳ）、シーケンス番号を次の値に更新してステップＳ９ｂの処理に移行される。
【００５４】
上記した第２の実施の形態によれば、ユーザが、ハードディスク２１ａ上に、光ディスク２２ａの種類と枚数とに対応した記憶領域を、仮想メディアとして確保するようにしたので、光ディスクドライブ部２２に光ディスク２２ａを実際に装着しなくても、ハードディスク２１ａ上で情報を複数の光ディスク２２ａに対応させて分割する処理を行なうことが可能となる。
【００５５】
そして、ハードディスク２１ａには、１枚の光ディスク２２ａ毎に情報が分割されて記録されているので、ハードディスク２１ａから光ディスク２２ａに実際に情報を記録する場合には、ハードディスク２１ａの１つのシーケンス番号で示される記録領域の情報を、そのまま光ディスク２２ａに転送するだけで済み、情報を複数の光ディスク２２ａに分割して記録する作業を大幅に容易化することができる。
【００５６】
次に、この発明の第３の実施の形態について説明する。図１０に示すフローチャートは、ハードディスク２１ａ上に確保された記録領域に、ハードディスク２１ａに記録されている情報を記録する、他の例を示している。
【００５７】
図１０において、ステップＳ１０ａ〜ステップＳ１０ｈは、図８に示したステップＳ８ａ〜ステップＳ８ｈと同様である。すなわち、指定された仮想メディアのうち、ハードディスク２１ａ上で最も若いシーケンス番号を持つ記録領域が満杯になり、ステップＳ１０ｇで次のシーケンス番号を持つ記録領域に切り替えられた後、信号処理制御部１３は、ステップＳ１０ｉで、次のシーケンス番号を持つ記録領域の容量Ｃから、予め設定されたのりしろ分の容量ｃを減算する。
【００５８】
これにより、ハードディスク２１ａ上で最も若いシーケンス番号を持つ記録領域以外の記憶領域に対しては、全て、その記録領域の容量Ｃからのりしろ分の容量ｃが減算された容量に対して、情報の記録が行なわれることになる。換言すれば、最も若いシーケンス番号を持つ記録領域以外の記憶領域に対しては、全て、のりしろ分の容量ｃを残して情報が記録されることになる。
【００５９】
次に、図１１に示すフローチャートは、上記のようにしてハードディスク２１ａ上の仮想メディアに記録された情報を、実際に光ディスク２２ａに記録する動作を示している。
【００６０】
まず、開始（ステップＳ１１ａ）され、ステップＳ１１ｂで、光ディスクドライブ部２２に光ディスク２２ａが装着されると、信号処理制御部１３は、ステップＳ１１ｃで、ハードディスク２１ａから情報を読み出す記録領域が、最初のシーケンス番号の記録領域であるか否かを判別する。
【００６１】
そして、最初のシーケンス番号の記録領域でないと判断された場合（ＮＯ）、信号処理制御部１３は、ステップＳ１１ｄで、前のシーケンス番号の記録領域に記録されている情報の最後部の所定量（上記のりしろ分の容量ｃに対応）を、光ディスク２２ａに記録する。
【００６２】
このステップＳ１１ｄの後、または、上記ステップＳ１１ｃで最初のシーケンス番号の記録領域であると判断された場合（ＹＥＳ）、信号処理制御部１３は、ステップＳ１１ｅで、現在のシーケンス番号を有する記録領域から情報を再生し、光ディスクドライブ部２２に装着されている光ディスク２２ａに記録させる。
【００６３】
そして、信号処理制御部１３は、ステップＳ１１ｆで、次のシーケンス番号の記録領域に情報が記録されているか否かを判別し、記録されていないと判断された場合（ＮＯ）、処理を終了（ステップＳ１１ｇ）し、記録されていると判断された場合（ＹＥＳ）、シーケンス番号を次の値に更新してステップＳ１１ｂの処理に移行される。
【００６４】
図１２は、上記のようなのりしろ部を含んで情報がハードディスク２１ａに記録された状態と、ハードディスク２１ａから情報が光ディスク２２ａに記録された状態とを示している。
【００６５】
まず、ハードディスク２１ａ上において、最も若いシーケンス番号を持つ記録領域Ａ１には、斜線で示すように、その全記録領域に情報が記録される。また、これ以後のシーケンス番号を持つ記録領域Ａ２には、のりしろ分の容量ｃだけ空けるように情報が記録される。
【００６６】
そして、記録領域Ａ１の情報は、第１の光ディスク２２ａにそのまま記録される。また、第２の光ディスク２２ａには、まず、記録領域Ａ１の最後部の情報がのりしろ分の容量ｃだけ記録される。その後、記録領域Ａ２の情報が、第２の光ディスク２２ａにそのまま記録される。
【００６７】
上記した第３の実施の形態によれば、情報を複数の光ディスク２２ａに分割記録した場合、２枚目以降の光ディスク２２ａには、その前の光ディスク２２ａに記録されている情報の最後部が記録される。このため、光ディスク２２ａの再生時に光ディスク２２ａを交換した場合、交換する前の光ディスク２２ａの最後部の映像が再生されてから、新規な映像が表示されるようになるので、ユーザにとって便利となる。
【００６８】
次に、この発明の第４の実施の形態について説明する。図１３に示すフローチャートは、ハードディスク２１ａ上に確保された記録領域に、ハードディスク２１ａに記録されている情報をレート変換して記録する動作を示している。
【００６９】
まず、開始（ステップＳ１３ａ）され、ステップＳ１３ｂで、タイトルの選択が行なわれ、ステップＳ１３ｃで、仮想メディアの選択が行なわれると、信号処理制御部１３は、ステップＳ１３ｄで、そのタイトルに対応する情報の全記録時間を求め、ステップＳ１３ｅで、仮想メディアの全記録容量を求める。
【００７０】
その後、信号処理制御部１３は、ステップＳ１３ｆで、先に求めた全記録時間及び全記録容量からエンコード時の平均記録レートを算出する。そして、信号処理制御部１３は、ステップＳ１３ｇで、ハードディスク２１ａに記録されている情報を再生し、レート変換を行なうよう再エンコードを行なって、指定された仮想メディアを構成するハードディスク２１ａ上の記録領域のうち、シーケンス番号の最も若い記録領域に記録する。
【００７１】
以後、信号処理制御部１３は、ステップＳ１３ｈで、先に指定された仮想メディアに記録する情報が、まだ残っているか否かを判別し、残っていないと判断された場合（ＮＯ）、処理を終了（ステップＳ１３ｌ）する。
【００７２】
また、ステップＳ１３ｈで記録する情報が残っていると判断された場合（ＹＥＳ）、信号処理制御部１３は、ステップＳ１３ｉで、情報量がシーケンス番号の最も若い記録領域の容量を超過したか否かを判別し、超過していないと判断された場合（ＮＯ）、ステップＳ１３ｆの処理に戻される。
【００７３】
そして、情報量がシーケンス番号の最も若い記録領域の容量を超過したと判断された場合（ＹＥＳ）、信号処理制御部１３は、ステップＳ１３ｊで、ハードディスク２１ａ上に次のシーケンス番号の記録領域が存在するか否かを判別し、存在しないと判断された場合（ＮＯ）、処理を終了（ステップＳ１３ｌ）する。
【００７４】
また、ハードディスク２１ａ上に次のシーケンス番号の記録領域が存在すると判断された場合（ＹＥＳ）、信号処理制御部１３は、ステップＳ１３ｋで、情報の記録先を次のシーケンス番号の記録領域に切り替え、ステップＳ１３ｆの処理に戻される。
【００７５】
なお、上記ステップＳ１３ｆ及びＳ１３ｇにおいては、映像によってエンコード時のレートが変化することを考慮して、定期的にエンコードレートにフィードバックをかけて、仮想メディアの記録容量を超さないように制御を行なう必要がある。
【００７６】
上記した第４の実施の形態によれば、情報の全記録時間と仮想メディアの全記録容量とに基づいて記録レートを自動設定するようにしたので、ユーザにとっての取り扱いを便利にすることができる。また、この機能があることによって、光ディスクドライブ部２２に光ディスク２２ａを実際に装着しなくても、ジャスト記録の記録レートを算出することが可能となる。そして、仮想メディア上でジャスト記録を行なうことができる。
【００７７】
なお、この発明は上記した各実施の形態に限定されるものではなく、この外その要旨を逸脱しない範囲で種々変形して実施することができる。
【００７８】
【発明の効果】
以上詳述したようにこの発明によれば、実際に移動型記録媒体を装着しなくても、据置型記録媒体から移動型記録媒体に情報を記録するのと同等な環境を据置型記録媒体上に構築することにより、据置型記録媒体から移動型記録媒体に情報を記録する場合に生じる種々の問題点を容易に解決することを可能とした極めて良好な情報記録再生装置及び情報記録再生方法を提供することができる。
【図面の簡単な説明】
【図１】この発明の第１の実施の形態を示すもので、テレビジョン放送受信機を説明するために示すブロック構成図。
【図２】同第１の実施の形態における特徴的な動作を説明するために示すフローチャート。
【図３】同第１の実施の形態における表示画面の一例を説明するために示す図。
【図４】この発明の第２の実施の形態を示すもので、特徴的な動作を説明するために示すフローチャート。
【図５】同第２の実施の形態における表示画面の一例を説明するために示す図。
【図６】同第２の実施の形態における管理テーブルを説明するために示す図。
【図７】同第２の実施の形態におけるファイルシステムとハードディスクとの関係を説明するために示す図。
【図８】同第２の実施の形態における仮想メディアへの情報記録動作を説明するために示すフローチャート。
【図９】同第２の実施の形態における仮想メディアから光ディスクへの情報記録動作を説明するために示すフローチャート。
【図１０】この発明の第３の実施の形態を示すもので、仮想メディアへの情報記録動作を説明するために示すフローチャート。
【図１１】同第３の実施の形態における仮想メディアから光ディスクへの情報記録動作を説明するために示すフローチャート。
【図１２】同第３の実施の形態におけるハードディスクへの情報記録状態と光ディスクへの情報記録状態とを説明するために示す図。
【図１３】この発明の第４の実施の形態を示すもので、仮想メディアへの情報記録動作を説明するために示すフローチャート。
【符号の説明】
１１…アンテナ、
１２…チューナ部、
１３…信号処理制御部、
１４…操作部、
１５…ＣＰＵ、
１６…エンコーダ部、
１７…デコーダ部、
１８…ファイル管理部、
１９…編集処理部、
２０…表示部、
２１…ＨＤＤ、
２２…光ディスクドライブ部、
２３…ＡＶ記録再生機器、
２４…デジタルカメラ。
【図１】
0003607691.tif 000002
【図２】
0003607691.tif 000003
【図３】
0003607691.tif 000004
【図４】
0003607691.tif 000005
【図５】
0003607691.tif 000006
【図６】
0003607691.tif 000007
【図７】
0003607691.tif 000008
【図８】
0003607691.tif 000009
【図９】
0003607691.tif 000010
【図１０】
0003607691.tif 000011
【図１１】
0003607691.tif 000012
【図１２】
0003607691.tif 000013
【図１３】
0003607691.tif 000014